(57)【要約】【課題】カートリッジケース内への塵埃の侵入を極力防止することができる記録ディスクカートリッジを提供することを課題とする。【解決手段】記録ディスクメディア３０と、記録ディスクメディア３０を収容すると共に、記録ディスクメディア３０を外部に臨ませるカートリッジケース１０と、記録ディスクメディア３０とカートリッジケース１０との間で回動するロータリシャッタ２０とを備える記録ディスクカートリッジ１であって、カートリッジケース１０には、記録ディスクメディア３０のハブ３２を外部に臨ませるハブ孔１２３が形成され、ロータリシャッタ２０に軸支されている第１シャッタ４１と、カートリッジケース１０の内側面に軸支されている第２シャッタ４２とがロータリシャッタ２０の回動に連動して回動することにより、ハブ孔１２３とハブ３２の隙間Ｓを開閉するように構成されている。【選択図】図５
2007149216.tif 000002
【特許請求の範囲】
【請求項１】
記録ディスクメディアと、
前記記録ディスクメディアを収容すると共に、前記記録ディスクメディアを外部に臨ませるケース開口を有するカートリッジケースと、
前記記録ディスクメディアと前記カートリッジケースとの間で回動することで、前記ケース開口を開閉するロータリシャッタと、を備える記録ディスクカートリッジであって、
前記カートリッジケースには、前記記録ディスクメディアを支持するハブを外部に臨ませるハブ孔が形成され、
一方の端部が前記ロータリシャッタに軸支されると共に、他方の端部には前記ハブに嵌り合う嵌合部が形成された第１シャッタと、
一方の端部が前記カートリッジケースの内側面に軸支されると共に、他方の端部には前記ハブに嵌り合う嵌合部が形成された第２シャッタと、からなるハブ孔シャッタが設けられており、
前記第１シャッタが、前記カートリッジケースの内側面と係合することで前記ロータリシャッタの回動に連動して回動すると共に、前記第２シャッタが、前記ロータリシャッタと係合することで前記ロータリシャッタの回動に連動して回動することにより、前記第１シャッタ及び前記第２シャッタによって、前記ハブ孔と前記ハブの隙間を開閉するように構成されていることを特徴とする記録ディスクカートリッジ。
【請求項２】
前記第１シャッタの一方の端部は、前記ロータリシャッタを回動させるためのシャッタノブに軸支されていることを特徴とする請求項１に記載の記録ディスクカートリッジ。
【請求項３】
前記第１シャッタ及び前記第２シャッタの他方の端部の縁部には、傾斜面が形成されており、前記ハブ孔と前記ハブの隙間を閉じたときに、第１シャッタ及び第２シャッタの前記傾斜面が重なり合うように構成されていることを特徴とする請求項１又は請求項２に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。  
【０００３】
従来の記録ディスクカートリッジとしては、例えば特許文献１に記載のものが知られている。
特許文献１に記載の記録ディスクカートリッジ８００は、図１０に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。記録ディスクメディア８３０は、円盤状のフレキシブルディスク８３１と、このフレキシブルディスク８３１を支持するハブ８３２とから構成されている。かかる記録ディスクカートリッジ８００は、専用のドライブ装置（図示省略）に装着されて使用される。
【０００４】
カートリッジケース８１０は、上シェル８１１と下シェル８１２とから構成されており、記録ディスクカートリッジ８００がドライブ装置に装着されたときにドライブ装置のヘッドが記録ディスクメディア８３０にアクセスできるように、平面視でくさび形のアクセス用開口部８１３が形成されている。
また、下シェル８１２には、記録ディスクカートリッジ８００がドライブ装置に装着されたときにドライブ装置のスピンドルがハブ８３２にチャックできるように、ハブ孔８１５が形成されている。
【０００５】
ロータリシャッタ８２０は、円盤状の上シャッタ８２３と下シャッタ８２４とから構成されており、記録ディスクメディア８３０をアクセス用開口部８１４から外部に臨ませるための切欠８２１を有している。
また、ロータリシャッタ８２０は、閉位置と開位置との間を回動できるようにカートリッジケース８１０の上シェル８１１に回動自在に固定されている。ロータリシャッタ８２０が閉位置にあるとき、カートリッジケース８１０のアクセス用開口部８１３はロータリシャッタ８２０の切欠８２１以外の部分によって塞がれる。そのため、記録ディスクメディア８３０は外部に臨まない状態となる。ロータリシャッタ８２０が開位置にあるとき、ロータリシャッタ８２０の切欠８２１とカートリッジケース８１０のアクセス用開口部８１３とが一致し、アクセス用開口部８１３及び切欠８２１から記録ディスクメディア８３０が外部に臨んだ状態となる。ロータリシャッタ８２０は、図示しないばねにより付勢されて、ドライブ装置に装着されていないときは閉位置に位置し、ドライブ装置に装着されたときは開位置に位置するようになっている。
また、ロータリシャッタ８２０は、カートリッジケース８１０のハブ孔８１５からハブ８３２を外部に臨ませるためのシャッタハブ孔８２２を有している。ロータリシャッタ８２０のシャッタハブ孔８２２とカートリッジケース８１０のハブ孔８１５とは一致しており、このシャッタハブ孔８２２及びハブ孔８１５からハブ８３２の下面を外部に臨ませている。
【特許文献１】米国特許第６２５６１６８号明細書
【発明の開示】
【発明が解決しようとする課題】
【０００６】
ところで、前記した記録ディスクメディア８３０は、年々、高密度記録化されており、その記録トラック幅はより狭くなってきていると共にその記録長はより短くなってきている。そのため、磁気ディスクカートリッジでは、磁気ディスクメディアと磁気ヘッドとの間にわずかな塵埃が介在するだけで読取エラーが生じやすくなっている。
そこで、前記した従来の記録ディスクカートリッジ８００では、ドライブ装置に装着されていないときには、カートリッジケース８１０のアクセス用開口部８１３をロータリシャッタ８２０によって塞ぐことにより、アクセス用開口部８１３からカートリッジケース８１０内への塵埃の侵入を防止している。
【０００７】
ここで、カートリッジケース８１０のハブ孔８１５は、記録ディスクメディア８３０のハブ８３２よりも大きく形成されており、ハブ孔８１５内でハブ８３２がずれることができるようになっている。これにより、ハブ８３２がドライブ装置のスピンドルにチャックされるときに、ハブ８３２がスピンドルに対して容易に位置合わせを行うことができる。
このように、従来の記録ディスクカートリッジ８００では、ハブ孔８１５がハブ８３２よりも大きく形成されているため、ハブ孔８１５とハブ８３２の間に隙間Ｓが形成されることになり、この隙間Ｓからカートリッジケース８１０内に塵埃が侵入してしまうという問題がある。
【０００８】
そこで、本発明は、カートリッジケース内への塵埃の侵入を極力防止することができる記録ディスクカートリッジを提供することを課題とする。
【課題を解決するための手段】
【０００９】
前記した課題を解決するための手段として、本発明は、記録ディスクメディアと、前記記録ディスクメディアを収容すると共に、前記記録ディスクメディアを外部に臨ませるケース開口を有するカートリッジケースと、前記記録ディスクメディアと前記カートリッジケースとの間で回動することで、前記ケース開口を開閉するロータリシャッタと、を備える記録ディスクカートリッジであって、前記カートリッジケースには、前記記録ディスクメディアを支持するハブを外部に臨ませるハブ孔が形成され、一方の端部が前記ロータリシャッタに軸支されると共に、他方の端部には前記ハブに嵌り合う嵌合部が形成された第１シャッタと、一方の端部が前記カートリッジケースの内側面に軸支されると共に、他方の端部には前記ハブに嵌り合う嵌合部が形成された第２シャッタと、からなるハブ孔シャッタが設けられており、前記第１シャッタが、前記カートリッジケースの内側面と係合することで前記ロータリシャッタの回動に連動して回動すると共に、前記第２シャッタが、前記ロータリシャッタと係合することで前記ロータリシャッタの回動に連動して回動することにより、前記第１シャッタ及び前記第２シャッタによって、前記ハブ孔と前記ハブの隙間を開閉するように構成されていることを特徴としている。
【００１０】
このように、ロータリシャッタの回動に連動して、カートリッジケースのハブ孔と、記録ディスクメディアのハブとの隙間を開閉するハブ孔シャッタが設けられており、ロータリシャッタがケース開口を閉じているときには、ハブ孔シャッタが閉じてハブ孔とハブの隙間を塞ぎ、ロータリシャッタがケース開口を開いたときには、ハブ孔シャッタが開くように構成することができる。これにより、記録ディスクカートリッジがドライブ装置に装着されていないときには、ハブ孔シャッタによってハブ孔とハブの隙間を塞ぐことができるため、この隙間からカートリッジケース内への塵埃の侵入を防止することができる。
【００１１】
また、第１シャッタは、一方の端部がロータリシャッタに軸支されると共に、カートリッジケースの内側面に係合されており、ロータリシャッタを回動させたときには、第１シャッタ全体がロータリシャッタの回動方向に移動しながら、ロータリシャッタに対して第１シャッタが相対的に回動することになる。これにより、ロータリシャッタを回動させてケース開口を開くときに、第１シャッタ全体をロータリシャッタの回動方向に移動させながら、第１シャッタの他方の端部を開き方向に回動させることができ、第１シャッタの他方の端部を開き方向に大きく移動させることができるため、ハブ孔とハブの隙間を短時間で確実に開くことができる。
【００１２】
さらに、第１シャッタ及び第２シャッタは、カートリッジケースまたはロータリシャッタにそれぞれ軸支されており、第１シャッタ及び第２シャッタを重ね合わせて軸支することなく、ハブ孔とハブの隙間を開閉することができるため、ハブ孔シャッタの厚みを薄くすることができ、薄型の記録ディスクカートリッジに適用することができる。
【００１３】
前記した記録ディスクカートリッジにおいて、前記第１シャッタの一方の端部は、前記ロータリシャッタを回動させるためのシャッタノブに軸支されているように構成することができる。
【００１４】
このように、第１シャッタの一方の端部を、ロータリシャッタを回動させるためのシャッタノブに軸支させることにより、第１シャッタを支持するための軸を個別の部品として設ける必要がなくなるため、カートリッジケース内のスペースを有効に利用することができると共に、ハブ孔シャッタを容易に組み付けることができる。
【００１５】
前記した記録ディスクカートリッジにおいて、前記第１シャッタ及び前記第２シャッタの他方の端部の縁部には、傾斜面が形成されており、前記ハブ孔と前記ハブの隙間を閉じたときに、第１シャッタ及び第２シャッタの前記傾斜面が重なり合うように構成することが望ましい。
【００１６】
このように、第１シャッタ及び第２シャッタの他方の端部の縁部に傾斜面を形成し、ハブ孔とハブの隙間を閉じたときに、傾斜面が重なり合うように構成することにより、第１シャッタと第２シャッタの他方の端部を密着させることができるため、ハブ孔とハブの隙間を確実に塞ぐことができる。
【発明の効果】
【００１７】
本発明によれば、カートリッジケースのケース開口を開閉するロータリシャッタの回動に連動して回動する第１シャッタ及び第２シャッタからなるハブ孔シャッタによって、カートリッジケースのハブ孔と、記録ディスクメディアのハブとの隙間を開閉することができるため、この隙間からカートリッジケース内への塵埃の侵入を防止することができ、カートリッジケース内の記録ディスクメディア等を保護することができる。
また、ロータリシャッタを回動させてケース開口を開くときに、第１シャッタ全体をロータリシャッタの回動方向に移動させながら、第１シャッタの他方の端部をハブから離れる方向に回動させることができるため、第１シャッタの他方の端部を開き方向に大きく移動させることができ、ハブ孔とハブの隙間を短時間で確実に開くことができる。
【発明を実施するための最良の形態】
【００１８】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は、本実施形態に係るロータリシャッタを示す斜視図であり、（ａ）は前方斜め上方からみた図、（ｂ）は後方斜め下方からみた図である。図４は、本実施形態に係る記録ディスクカートリッジを下方からみた平面図である。図５は、本実施形態に係る記録ディスクカートリッジをドライブ装置に挿入した状態を示す斜視図である。図６は、本実施形態に係る記録ディスクカートリッジのハブ孔シャッタを示す図であり、（ａ）はハブ孔シャッタを閉じた状態を下方からみた図、（ｂ）はハブ孔シャッタが開いた状態を下方からみた図である。図７は、本実施形態に係る記録ディスクカートリッジのハブ孔シャッタを示す断面図であり、（ａ）は記録ディスクカートリッジの側断面図、（ｂ）はハブ孔シャッタの組み付け態様を示す側断面図である。図８は、本実施形態に係る記録ディスクカートリッジのハブ孔シャッタを示す図であり、ハブ孔シャッタが開く態様を下方からみた図である。図９は、本実施形態に係る記録ディスクカートリッジのハブ孔シャッタを示す図であり、第１シャッタ及び第２シャッタの縁部に形成された傾斜面を示した側面図である。
なお、本実施形態において方向を説明する場合は、図１に示す前、後、右、左、上、下、を基準として説明する。
【００１９】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置された第１シャッタ４１及び第２シャッタ４２からなるハブ孔シャッタ４０と、を主に備えている。そして、このような記録ディスクカートリッジ１は、専用のドライブ装置Ｄ（図５参照）に、その前側から挿入されて使用される。
【００２０】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ、左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図５参照）。
【００２１】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図５参照）の動作に干渉しない形状となっている。
【００２２】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００２３】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２４】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２５】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２６】
さらに、上シェル１１は、その中央部に、ロータリシャッタ２０を回動可能に止め付けるセンタピン５０と係合する係合孔１１３を有している。
【００２７】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２をチャック（係合）するようになっている。
また、下シェル１２は、ロータリシャッタ２０のシャッタノブ２４の軌道に沿って形成されたガイド孔１２４と、ハブ孔シャッタ４０の第２シャッタ４２を軸支するために内側（記録ディスクメディア３０側）に突出した回動軸部１２５ｂと、ハブ孔シャッタ４０の第１シャッタ４１に係合するために内側に突出した係合突起１２６を有している。
【００２８】
［フレーム部材１３］
フレーム部材１３は、図２に示すように、主に前端部１０ａ（図１参照）の周壁となるアーチ状フレーム１３１と、主に後端部１０ｂ（図１参照）の周壁となるベースフレーム１３２と、主に左端部１０ｄの前側の周壁の一部となるＶノッチ部材１３３と、を備えて構成されている。
【００２９】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００３０】
また、アーチ状フレーム１３１は、下向きに開口し、カートリッジケース１０の内部と外部を連通させる係合溝１３１ｅ（図４参照）を有している。この係合溝１３１ｅは、後記するロック片７０が係合する溝である。
【００３１】
Ｖノッチ部材１３３は、後記するように閉方向に付勢されるロータリシャッタ２０を閉位置で止めるストッパとしての役割と（図４参照）、ドライブ装置Ｄとの係合部としての役割とを備える部材であり、左端部１０ｄの前側に配置されている。
【００３２】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００３３】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図３、図７（ａ）参照）。
【００３４】
ロータリシャッタ２０は、図２及び図３に示すように、記録ディスクメディア３０を外部に臨ませる切欠部２０１を有している（図３参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３５】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図５、図６（ａ）参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図５、図６（ｂ）参照）。
【００３６】
また、ロータリシャッタ２０は、図示しない付勢手段（例えば渦巻きばね）によって、閉方向（図４、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図４、図５参照）。ちなみに、本発明において、前記付勢手段は必須の構成要素ではなく、後記するように、ドライブ装置Ｄ（図５参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００３７】
このようなロータリシャッタ２０は、図２及び図３に示すように、金属プレートからなる上シャッタ２１及び下シャッタ２２と、これらの間に介在した合成樹脂製のシャッタウォール２３と、を備えて構成されている。
【００３８】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００３９】
また、上シャッタ２１は、その中央部に、前記したセンタピン５０を挿通させるための挿通孔２１２を有している。
【００４０】
下シャッタ２２は、その中央部に、記録ディスクメディア３０の後記するハブ３２を外部に臨ませるためのシャッタハブ孔２２２を有している。
また、下シャッタ２２の下シェル１２側には、ハブ孔シャッタ４０の第２シャッタ４２の係合長孔４２３に係合する係合突起２２３ｂが形成されている。
【００４１】
さらに、下シャッタ２２の下面には、ロータリシャッタ２０を回動させると共に、ハブ孔シャッタ４０の第１シャッタ４１を軸支するためのシャッタノブ２４が取り付けられている（図３（ｂ）参照）。このシャッタノブ２４は、第１シャッタ４１の軸孔４１１を通ることにより、第１シャッタ４１を遊嵌状態で支持すると共に、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図５参照）。
【００４２】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタ２２の側面から、その径方向外側に向かって徐々に離れるように延出した細長の金属片である。ロック片７０の先端部７１は、径方向内側に向かってやや屈曲している（図３、図４参照）。
【００４３】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００４４】
また、ロック片７０の先端部７１は、係合溝１３１ｅを介して、記録ディスクカートリッジ１の右側方に臨んでいる。そして、記録ディスクカートリッジ１がドライブ装置Ｄ（図６参照）に挿入されると、ドライブ装置Ｄ内のロック解除ピン（図示省略）が、ロック片７０の先端部７１を径方向内側に押し（図４の矢印Ａ７参照）、ロック片７０と係合溝１３１ｅとの係合が解除され、ロータリシャッタ２０が回動可能となるように構成されている。
【００４５】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
また、シャッタウォール２３には、シャッタノブ２４を支持するための軸部２３１が下方に向かって突出している。軸部２３１は、下シャッタ２２の切り欠き溝２２４を通って、下シャッタ２２の下面に突出しており、この軸部２３１の下端部にシャッタノブ２４が取り付けられている。
【００４６】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００４７】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、図７（ａ）に示すように、上面にフレキシブルディスク３１の取り付け部３２２を備えると共に、下面にドライブ装置Ｄ（図５参照）のスピンドル（図示省略）にチャックされるチャック部３２１を備えており、ハブ３２の下部は、下シェル１２に形成されたハブ孔１２３から外部に突出している。
【００４８】
＜ライナ６０＞
ライナ６０，６０は、記録ディスクメディア３０をクリーニングすると共に、記録ディスクメディア３０を保護するものであり、例えば、不織布等から形成されている。そして、図２に示すように、ライナ６０，６０は、上シャッタ２１及び下シャッタ２２のフレキシブルディスク３１（記録ディスクメディア３０）側にそれぞれ位置しており、接着層（図示省略）を介して上シャッタ２１又は下シャッタ２２に固定されている。
【００４９】
＜ハブ孔シャッタ４０＞
ハブ孔シャッタ４０は、図６（ａ）に示すように、ロータリシャッタ２０によるアクセス用開口部１０１の開閉に連動して、下シェル１２とハブ３２との間の隙間Ｓ（図５参照）を開閉するシャッタであり、ロータリシャッタ２０の下側面と下シェル１２の内側面との間でハブ３２の両側に配設された第１シャッタ４１と、第２シャッタ４２とを備えて構成されている。この第１シャッタ４１及び第２シャッタ４２がロータリシャッタ２０の回動に連動して回動することにより、下シェル１２とハブ３２との間の隙間Ｓを開閉するように構成されている。なお、図６（ａ）には第１シャッタ４１及び第２シャッタ４２を閉じた状態が示されており、図６（ｂ）には第１シャッタ４１及び第２シャッタ４２を開いた状態が示されている。
【００５０】
第１シャッタ４１及び第２シャッタ４２は、図６（ａ）に示すように、それぞれ、平面視で半円状の板状部材である。
第１シャッタ４１は、その一方の端部４１ａに軸孔４１１を有しており、この軸孔４１１には、ロータリシャッタ２０の下面に取り付けられたシャッタノブ２４が差し込まれている。
また、第２シャッタ４２は、その一方の端部４２ａに軸孔４２１を有しており、この軸孔４２１には下シェル１２の回動軸部１２５ｂが差し込まれている。
このようにして、第１シャッタ４１は、ロータリシャッタ２０のシャッタノブ２４に回動自在に軸支され、第２シャッタ４２は、カートリッジケース１０の回動軸部１２５ｂに回動自在に軸支されており、第１シャッタ４１と第２シャッタ４２は、ロータリシャッタ２０とカートリッジケース１０にそれぞれ軸支されている。
【００５１】
回動軸部１２５ｂは、バーリング加工によって下シェル１２の内側面に立ち上げられた筒状の軸部材であり、下シェル１２の左前側となる位置に形成されている（図２参照）。
第２シャッタ４２を組み付けるときには、図７（ｂ）左側に示すように、一方の端部４２ａに形成された軸孔４２１に、下シェル１２の回動軸部１２５ｂを挿通させ、図７（ｂ）右側に示すように、回動軸部１２５ｂの先端部をかしめることにより、第２シャッタ４２を回動軸部１２５ｂに遊嵌状態で支持させている。
なお、かしめ面積及びかしめ強度を十分に確保するためには、かしめ加工前の回動軸部１２５ｂの高さが、第２シャッタ４２の平均肉厚の１．５〜３倍であることが望ましく、さらには１．５〜２倍であることがより望ましい。
【００５２】
また、第１シャッタ４１は、図６（ａ）に示すように、その他方の端部４１ｂに、下シェル１２のハブ孔１２３から下方に突出しているハブ３２の下部（図７（ａ）参照）に嵌り合うように半円形状に切り欠かれた嵌合部４１２を有している。同様に、第２シャッタ４２は、その他方の端部４２ｂに、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００５３】
また、第１シャッタ４１及び第２シャッタ４２の他方の端部４１ｂ、４２ｂの縁部には、第１シャッタ４１及び第２シャッタ４２によってハブ孔１２３とハブ３２の隙間Ｓを閉じたときに、他方の端部４１ｂ、４２ｂの縁部が重なり合うように、傾斜面４１４，４２４が形成されている（図９参照）。本実施形態では、第１シャッタ４１の他方の端部４１ｂには、下向きの傾斜面４１４が形成され、第２シャッタ４２の他方の端部４２ｂには、上向きの傾斜面４２４が形成されている。
【００５４】
さらに、第１シャッタ４１には、下シェル１２の内側面に設けられた係合突起１２６が係合する係合長孔４１３が、一方の端部４１ａから他方の端部４１ｂに亘って延設されている。
また、第２シャッタ４２には、下シャッタ２２の下側面に設けられた係合突起２２３ｂが係合する係合長孔４２３が、一方の端部４２ａから他方の端部４２ｂに亘って延設されている。
なお、係合長孔４１３の平面視における形状は、ロータリシャッタ２０の回動に連動して第１シャッタ４１全体が移動したときに、係合長孔４１３内の係合突起１２６によって第１シャッタ４１が押されることにより、回動するロータリシャッタ２０に対して、第１シャッタ４１が相対的に回動するように設計されている。また、係合長孔４２３の平面視における形状は、ロータリシャッタ２０と一体に回動する係合突起２２３ｂの回動により、係合長孔４２３内の係合突起２２３ｂによって第２シャッタ４２が押されて回動するように設計されている。
このように、ロータリシャッタ２０の回動に連動して第１シャッタ４１及び第２シャッタ４２が回動することにより、ハブ孔シャッタ４０が隙間Ｓを開閉するように設計されている。
【００５５】
具体的には、第１シャッタ４１及び第２シャッタ４２が閉じている図６（ａ）の状態では、第１シャッタ４１の係合長孔４１３の一方の端部４１ａ側の端に係合突起１２６が係合し、第２シャッタ４２の係合長孔４２３の他方の端部４２ｂ側の端に係合突起２２３ｂが係合している。
【００５６】
そして、図８に示すように、ロータリシャッタ２０を矢印Ａ３方向に回動させて、アクセス用開口部１０１を開けたときには、係合突起２２３ｂは、ロータリシャッタ２０と同心円の軌道で矢印Ａ４方向に移動することになる。このとき、係合突起２２３ｂが、第２シャッタ４２の係合長孔４２３内で、第２シャッタ４２を外側に向かって押しながら、係合長孔４２３の他方の端部４２ｂ側から一方の端部４２ａ側に摺動するように、第２シャッタ４２の係合長孔４２３は、ロータリシャッタ２０の回転中心から偏心した略円弧形状となっている。
【００５７】
これにより、ロータリシャッタ２０を矢印Ａ３方向に回動させて、アクセス用開口部１０１を開けたときには、係合突起２２３ｂによって第２シャッタ４２が外側に押され、第２シャッタ４２が回動軸部１２５ｂを中心として、矢印Ａ５方向に回動することにより、第２シャッタ４２が開くことになる。
なお、ロータリシャッタ２０の回動が停止するまでに、第２シャッタ４２がベースフレーム１３２に干渉しないように、第２シャッタ４２の外周形状が円弧状に設計されている。
【００５８】
また、第１シャッタ４１では、ロータリシャッタ２０を矢印Ａ３方向に回動させて、アクセス用開口部１０１を開けたときには、第１シャッタ４１の一方の端部４１ａが軸支されているシャッタノブ２４が矢印Ａ２方向に移動することにより、第１シャッタ４１全体が矢印Ａ２方向に移動することになる。このとき、係合長孔４１３内の係合突起１２６が、第１シャッタ４１を外側に向かって押しながら、係合長孔４１３の一方の端部４１ａ側から他方の端部４１ｂ側に摺動するように、第１シャッタ４１の係合長孔４１３は、ロータリシャッタ２０の回転中心から偏心した略円弧形状となっている。
【００５９】
これにより、ロータリシャッタ２０を矢印Ａ３方向に回動させて、アクセス用開口部１０１を開けたときには、第１シャッタ４１全体が矢印Ａ２方向に移動すると共に、係合突起１２６によって第１シャッタ４１が外側に押され、第１シャッタ４１がシャッタノブ２４を中心として、矢印Ａ６方向に回動することにより、第１シャッタ４１が開くことになる。
なお、第２シャッタ４２と同様に、ロータリシャッタ２０の回動が停止するまでに、第１シャッタ４１がアーチ状フレーム１３１に干渉しないように、第１シャッタ４１の外周形状が円弧状に設計されている。
【００６０】
また、第１シャッタ４１及び第２シャッタ４２が同じ速度で開き始めると共に、第１シャッタ４１及び第２シャッタ４２が回動途中に干渉しないように、係合長孔４１３，４２３の曲率や湾曲方向を変化させて、係合突起１２６，２２３ｂによる第１シャッタ４１及び第２シャッタ４２の押し出し量を変化させることにより、第１シャッタ４１及び第２シャッタ４２の開き速度を調整している。
【００６１】
≪記録ディスクカートリッジの作用効果≫
次に、記録ディスクカートリッジ１の作用効果について説明する。まず、ロータリシャッタ２０の動作について説明し、その後、ハブ孔シャッタ４０の動作及び作用効果について説明する。
【００６２】
＜ロータリシャッタ２０の動作＞
ロータリシャッタ２０は、図５右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００６３】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図４、矢印Ａ７参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図４、矢印Ａ２参照）。
【００６４】
そうすると、シャッタノブ２４が固定されたロータリシャッタ２０は、カートリッジケース１０内でセンタピン５０を軸として回動する（図４、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００６５】
そして、図５左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００６６】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図４参照）。
【００６７】
＜ハブ孔シャッタ４０の動作及び作用効果＞
次に、このようなロータリシャッタ２０の動作に連動するハブ孔シャッタ４０について説明する。
ハブ孔シャッタ４０は、図５右側及び図６（ａ）に示すように、記録ディスクカートリッジ１の通常時（ドライブ装置Ｄへの挿入前、ロータリシャッタ２０が閉位置にあるとき）において、カートリッジケース１０の下シェル１２とハブ３２との隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。
【００６８】
これにより、この隙間Ｓからカートリッジケース１０内への塵埃の侵入が防止されており、その結果として、記録ディスクメディア３０等が保護されているため、記録ディスクメディア３０の読取エラーを防ぐことができる。
また、第１シャッタ４１と第２シャッタ４２は、ハブ３２を両側から挟むように構成されているため、ハブ孔シャッタ４０によって、ハブ孔１２３とハブ３２の隙間Ｓの全周を確実に塞ぐことができる。
【００６９】
そして、図５左側及び図８に示すように、記録ディスクカートリッジ１がドライブ装置Ｄに挿入されて、前記したように、ロータリシャッタ２０が回動すると、シャッタノブ２４が矢印Ａ２方向に移動し、このシャッタノブ２４に軸支されている第１シャッタ４１全体が矢印Ａ２方向に移動することになる。このとき、第１シャッタ４１の係合長孔４１３と係合している係合突起１２６は、下シェル１２に設けられており、ロータリシャッタ２０が回動しても移動しないため、矢印Ａ２方向に移動する第１シャッタ４１の係合長孔４１３内で係合突起１２６が第１シャッタ４１を押すことにより、第１シャッタ４１が、シャッタノブ２４を軸として、回動するロータリシャッタ２０に対して相対的に矢印Ａ６方向に回動し、第１シャッタ４１がハブ３２から離れることになる。
【００７０】
また、ロータリシャッタ２０の回動に伴って、係合突起２２３ｂが矢印Ａ４方向に回動すると、係合突起２２３ｂは第２シャッタ４２の係合長孔４２３と係合しているため、回動する係合突起２２３ｂが係合長孔４２３内を摺動しながら第２シャッタ４２を押すことにより、第２シャッタ４２が下シェル１２の回動軸部１２５ｂを軸として矢印Ａ５方向に回動し、第２シャッタ４２がハブ３２から離れることになる。
【００７１】
また、第１シャッタ４１は、一方の端部４１ａがロータリシャッタ２０に軸支されると共に、カートリッジケース１０の下シェル１２の内側面に係合されており、ロータリシャッタ２０を回動させてアクセス用開口部１０１を開くときには、第１シャッタ４１全体がロータリシャッタ２０の回動方向（矢印Ａ２方向）に移動しながら、第１シャッタ４１の他方の端部４２ｂが開き方向に回動することになり、第１シャッタ４１の他方の端部４１ｂを開き方向に大きく移動させることができるため、ハブ孔１２３とハブ３２の隙間Ｓを短時間で確実に開くことができる。
【００７２】
さらに、前記したように、第１シャッタ４１及び第２シャッタ４２が同じ速度で開き始めると共に、第１シャッタ４１及び第２シャッタ４２が回動途中に干渉しないように、係合長孔４１３，４２３の曲率や湾曲方向を変化させているため、第１シャッタ４１及び第２シャッタ４２は、同じ開き速度でスムーズに開くことになる。
【００７３】
なお、カートリッジケース１０の下シェル１２の内側面に設けられた係合突起１２６や、ロータリシャッタ２０の下側面に設けられた係合突起２２３ｂは、ハブ孔シャッタ４０の第１シャッタ４１及び第２シャッタ４２に形成された係合長孔４１３，４２３に差し込んで係合されており、ロータリシャッタ２０とハブ孔シャッタ４０とが容易かつ確実に係合されているため、ロータリシャッタ２０の回動に連動させて、第１シャッタ４１及び第２シャッタ４２を確実に回動させることができる。
【００７４】
このように第１シャッタ４１及び第２シャッタ４２がそれぞれ回動してハブ３２から離れると、図６（ｂ）に示すように、ハブ孔シャッタ４０は隙間Ｓを開き、これと共に、ハブ孔シャッタ４０によるハブ３２の挟持状態は解除される（図５左側参照）。その結果として、ハブ孔１２３内でハブ３２がずれることができるようになり、ハブ３２がドライブ装置Ｄのスピンドル（図示せず）にチャックされるときに、ハブ３２がスピンドルに対して容易に位置合わせを行うことができる。そして、ハブ３２及びこれを備える記録ディスクメディア３０は、ハブ３２にチャックするドライブ装置Ｄのスピンドル（図示省略）により、良好に回転することができる。
【００７５】
なお、記録ディスクカートリッジ１がドライブ装置Ｄから取り出されると、閉位置に戻るロータリシャッタ２０に連動して、ハブ孔シャッタ４０は隙間Ｓを閉じる。
【００７６】
このように、カートリッジケース１０のアクセス用開口部１０１を開閉するロータリシャッタ２０の回動に連動して回動するハブ孔シャッタ４０によって、カートリッジケース１０のハブ孔１２３と、記録ディスクメディア３０のハブ３２との隙間Ｓを開閉することができるため、この隙間Ｓからカートリッジケース１０内への塵埃の侵入を防止することができ、カートリッジケース１０内の記録ディスクメディア３０等を保護することができる。
【００７７】
また、第１シャッタ４１及び第２シャッタ４２の他方の端部４１ｂ，４２ｂの縁部に傾斜面４１４，４２４（図９参照）を形成し、ハブ孔１２３とハブ３２の隙間Ｓを閉じたときに、傾斜面４１４，４２４が重なり合うように構成されており、第１シャッタ４１と第２シャッタ４２の他方の端部４１ｂ，４２ｂをハブ３２の周囲で密着させることができるため、ハブ孔１２３とハブ３２の隙間Ｓを確実に塞ぐことができる。
【００７８】
また、本実施形態のハブ孔シャッタ４０では、第１シャッタ４１及び第２シャッタ４２は、ロータリシャッタ２０とカートリッジケース１０とにそれぞれ軸支されており、第１シャッタ４１及び第２シャッタ４２を重ね合わせて軸支することなく、ハブ孔１２３とハブ３２の隙間Ｓを開閉することができるため、ハブ孔シャッタ４０の厚みを薄くすることができ、薄型の記録ディスクカートリッジ１に適用することができる。
【００７９】
また、第１シャッタ４１の一方の端部４１ａは、ロータリシャッタ２０を回動させるためのシャッタノブ２４に軸支されており、第１シャッタ４１を支持するための軸を個別の部品として設ける必要がなくなるため、カートリッジケース１０内のスペースを有効に利用することができると共に、ハブ孔シャッタ４０を容易に組み付けることができる。
【００８０】
また、バーリング加工によってカートリッジケース１０の下シェル１２の内側面に立ち上げられた回動軸部１２５ｂを、第２シャッタ４２に形成された軸孔４２１に挿通させ、回動軸部１２５ｂの先端部をかしめることにより、ハブ孔シャッタ４０を下シェル１２に支持させており（図７（ｂ）参照）、第２シャッタ４２を支持するための軸を個別の部品として組み付ける必要がなくなるため、ハブ孔シャッタ４０の組み付けを容易に行うことができる。
【００８１】
以上、本発明の好適な実施形態について説明したが、本発明は前記実施形態に限定されず、本発明の趣旨を逸脱しない範囲で、例えば次のように変更することもできる。
【００８２】
例えば、記録ディスクメディアは、磁気ディスクメディアに限らず、光磁気ディスクメディア、相変化ディスクメディアなどの光ディスクメディアでもよいし、フレキシブルなディスクメディアに限らず、ＤＶＤ−ＲＡＭのような剛性を有したディスクメディアであってもよい。
【００８３】
また、第１シャッタ４１の他方の端部４１ｂ側を下シェル１２の内側面に向かって傾斜させることにより、他方の端部４１ｂ側を下シェル１２の内側面に近づけることができる。この構成では、他方の端部４１ｂ側の係合長孔４１３内に、下シェル１２の内側面に設けられた係合突起１２６が深く差し込まれることになるため、自由端で振れやすい他方の端部４１ｂ側においても、係合突起１２６が係合長孔４１３から外れてしまうことを防止することができ、第１シャッタ４１を確実に回動させることができる。
また、第２シャッタ４２の他方の端部４２ｂ側をロータリシャッタ２０の下側面に向かって傾斜させることにより、他方の端部４２ｂ側をロータリシャッタ２０の下側面に近づけることができる。この構成では、他方の端部４２ｂ側の係合長孔４２３内に、ロータリシャッタ２０の下側面に設けられた係合突起２２３ｂが深く差し込まれることになるため、自由端で振れやすい他方の端部４２ｂ側においても、係合突起２２３ｂが係合長孔４２３から外れてしまうことを防止することができ、第２シャッタ４２を確実に回動させることができる。
なお、他方の端部４１ｂ、４２ｂが下シェル１２やロータリシャッタ２０の下側面に強く擦れることを防ぐため、他方の端部４１ｂ、４２ｂ側の傾斜角度は小さいことが望ましく、例えば１°程度折り曲げられていることが望ましい。
【図面の簡単な説明】
【００８４】
【図１】本実施形態に係る記録ディスクカートリッジを示す斜視図であり、（ａ）は前方斜め上方からみた図、（ｂ）は後方斜め下方からみた図をそれぞれ示している。
【図２】本実施形態に係る記録ディスクカートリッジの分解斜視図である。
【図３】本実施形態に係るロータリシャッタを示す斜視図であり、（ａ）は前方斜め上方からみた図、（ｂ）は後方斜め下方からみた図である。
【図４】本実施形態に係る記録ディスクカートリッジを下方からみた平面図である。
【図５】本実施形態に係る記録ディスクカートリッジをドライブ装置に挿入した状態を示す斜視図である。
【図６】本実施形態に係る記録ディスクカートリッジのハブ孔シャッタを示す図であり、（ａ）はハブ孔シャッタを閉じた状態を下方からみた図、（ｂ）はハブ孔シャッタが開いた状態を下方からみた図である。
【図７】本実施形態に係る記録ディスクカートリッジのハブ孔シャッタを示す断面図であり、（ａ）は記録ディスクカートリッジの側断面図、（ｂ）はハブ孔シャッタの組み付け態様を示す側断面図である。
【図８】本実施形態に係る記録ディスクカートリッジのハブ孔シャッタを示す図であり、ハブ孔シャッタが開く態様を下方からみた図である。
【図９】本実施形態に係る記録ディスクカートリッジのハブ孔シャッタを示す図であり、第１シャッタ及び第２シャッタの縁部に形成された傾斜面を示した側面図である。
【図１０】従来の記録ディスクカートリッジを示す斜視図であり、（ａ）は前方斜め上方からみた図、（ｂ）は後方斜め下方からみた図をそれぞれ示している。
【符号の説明】
【００８５】
１      記録ディスクカートリッジ
１０    カートリッジケース
１２    下シェル
２０    ロータリシャッタ
２１    上シャッタ
２２    下シャッタ
２４    シャッタノブ
３０    記録ディスクメディア
３１    フレキシブルディスク
３２    ハブ
４０    ハブ孔シャッタ
４１    第１シャッタ
４２    第２シャッタ
１０１  アクセス用開口部（ケース開口）
１２３  ハブ孔
１２５ｂ  回動軸部
１２６    係合突起
２２３ｂ  係合突起
４１１  軸孔（第１シャッタ）
４２１  軸孔（第２シャッタ）
４１２  嵌合部（第１シャッタ）
４２２  嵌合部（第２シャッタ）
４１３  係合長孔（第１シャッタ）
４２３  係合長孔（第２シャッタ）
４１４  傾斜面（第１シャッタ）
４２４  傾斜面（第２シャッタ）
Ｓ      隙間
【図１】
2007149216.tif 000003
【図２】
2007149216.tif 000004
【図３】
2007149216.tif 000005
【図４】
2007149216.tif 000006
【図５】
2007149216.tif 000007
【図６】
2007149216.tif 000008
【図７】
2007149216.tif 000009
【図８】
2007149216.tif 000010
【図９】
2007149216.tif 000011
【図１０】
2007149216.tif 000012